(57)【特許請求の範囲】
【請求項１】
トラクタ（１）に連結され、幅方向に複数条設けられて家畜糞尿のようなスラリーを圃場土中に連続して施用するインジェクタ（２）において、
前記インジェクタ（２）は、掘削刃（１６）の後部にスラリー注入管（１７）及び覆土板（１８）を配設し、該掘削刃（１６）、スラリー注入管（１７）及び覆土板（１８）を、本体フレーム（６）に対して先端部が回転支持部材（１０）を介して左右回動可能に支持された支持アーム（１１）の後部側に、上下方向に作動する平行リンク（１２）、該平行リンク（１２）に架設されたバネ（１３）及び上下移動範囲規制部材（１４）を介して支持し、
前記本体フレーム（６）に、ゲージホイール（１９）を上下移動してインジェクタ（２）によるスラリーの圃場土中への施用深さを調節する上下調節支持装置（２０）及びインジェクタ（２）の作業を安定させるウエイト（３２）を備え、インジェクタ（２）によるスラリーの圃場土中への施用深さを、地表から１５ｃｍ付近までの浅層に設定し、
前記インジェクタ（２）を、前記平行リンク（１２）、バネ（１３）、上下移動範囲規制部材（１４）及び前記回転支持部材（１０）により圃場の凹凸に対して独立して追従可能に懸架し、インジェクタ（２）が土中の障害物に接触すると上方、左右に移動でき、スラリーの注入深さを確保して圃場表面への露出を防ぐようにし、かつ前記回転支持部材（１０）によりインジェクタ（２）を土中に挿入したまま旋回可能に支持したことを特徴とする浅層型スラリーインジェクタ。
【発明の詳細な説明】
【０００１】
【発明の属する技術分野】
本発明は、家畜糞尿のようなスラリーを圃場の浅層に施用する浅層型スラリーインジェクタに関する。
【０００２】
【従来の技術】
家畜糞尿のようなスラリーを圃場に施用する場合、バキュームタンカ等で圃場表面に散布（表面施用）すると臭気の発生がひどく、府県等の住宅地が近接した条件では臭気公害の問題が発生している。臭気を防ぐには、従来の土中２０〜３０ｃｍの深層にスラリーを施用する技術があるが、この方式では地下水汚染や肥料成分の効率的な利用が行われないなどの問題や、特に作業上、高馬力のトラクタを必要とし、表面施用の場合と比べて作業能率が極端に悪いことが問題としてあった。加えて、圃場端でインジェクタを持ち上げた場合にスラリーの滴下が生じ、臭いの発生や作業機への付着等の問題があった。
【０００３】
【発明が解決しようとする課題】
こうした問題を解決するために、表面施用と同程度の能力を有するとともに、臭気の発生を防ぎ、地下水汚染も防止できる浅層型スラリーインジェクタを開発し、スラリーの圃場施用を促進することが急務とされている。
本発明は、このような事情に基づいてなされたもので、上記の問題を解決するようにした浅層施用型のスラリーインジェクタを提供することを目的とする。
【０００４】
【課題を解決するための手段】
上記の目的を達成するため、本発明は、以下の手段を特徴としている。
Ａ．トラクタ１に連結され、幅方向に複数条設けられて家畜糞尿のようなスラリーを圃場土中に連続して施用するインジェクタ２において、
前記インジェクタ２は、掘削刃１６の後部にスラリー注入管１７及び覆土板１８を配設し、該掘削刃１６、スラリー注入管１７及び覆土板１８を、本体フレーム６に対して先端部が回転支持部材１０を介して左右回動可能に支持された支持アーム１１の後部側に、上下方向に作動する平行リンク１２、該平行リンク１２に架設されたバネ１３及び上下移動範囲規制部材１４を介して支持し、
前記本体フレーム６に、ゲージホイール１９を上下移動してインジェクタ２によるスラリーの圃場土中への施用深さを調節する上下調節支持装置２０及びインジェクタ２の作業を安定させるウエイト３２を備え、インジェクタ２によるスラリーの圃場土中への施用深さを、地表から１５ｃｍ付近までの浅層に設定した。
【０００５】
Ｂ．前記インジェクタ２を、前記平行リンク１２、バネ１３、上下移動範囲規制部材１４及び前記回転支持部材１０により圃場の凹凸に対して独立して追従可能に懸架し、インジェクタ２が土中の障害物に接触すると上方、左右に移動でき、スラリーの注入深さを確保して圃場表面への露出を防ぐようにし、かつ前記回転支持部材１０によりインジェクタ２を土中に挿入したまま旋回可能に支持した。
【０００６】
【作用】
上記Ａ．及びＢ．の構成によって本発明の浅層型スラリーインジェクタは、次のような作用をする。
ａ．圃場の地表から１５ｃｍ付近までの浅層にスラリーを注入することで、臭気を防ぎ、肥料成分の効率的な利用が図られ、また、高馬力のトラクタを必要とせず、表面施用に近い作業能率が得られる。
【０００７】
ｂ．圃場の凹凸に対して、各インジェクタが独立して上下動し、圃場の凹凸に追従してスラリーの注入深さを確保し、地表面への露出を防ぐ。
ｃ．土中に石礫等の障害物がある場合でも、平行リンクとバネによりインジェクタが上方に逃げ、石礫の多い圃場でも、スラリーの施用が可能であり、かつスラリーの露出を低減できる。
ｄ．圃場端でのスラリーの滴下を防止することができ、旋回しながらの施用も可能となるので、能率よく作業が行える。
【０００８】
【発明の実施の形態】
以下、本発明の実施形態について、添付した図面を参照して説明する。
図１及び図２において、符号１はトラクタ、２は浅層型のスラリーインジェクタ、３はスラリータンカ（あるいはバキュームタンカ）である。トラクタ１の後部には、トップリンク４及び左右一対のロアリンク５からなる３点リンクが設けられ、この３点リンクに、左右方向に延びるスラリーインジェクタの本体フレーム６の中央部に設けられたトップマスト７及び左右一対のロアリンク連結部８を連結し、スラリーインジェクタ２及びスラリータンカ３がトラクタ１により牽引されて作業を行うようにしている。また、トラクタ１から後方に向けて突出された図示しないＰＴＯ軸から、ＰＴＯ伝動軸９を介して本体フレーム６に動力が伝達される。
【０００９】
スラリーインジェクタ２は、本体フレーム６の左右長さ方向に７組のユニットが左右間隔調節可能に支持されている。また、本体フレーム６の左右両端側は、それぞれ１組のスラリーインジェクタ２を装着した状態で、回動支持部６ａから上下に折り畳み可能であり、スラリーインジェクタ２が路上移動するときに折り畳んで機体幅を狭くして移動することができる。各スラリーインジェクタ２は、前部に設けた回動支持部材１０に支持アーム１１の前端部を左右回動自在に取り付け、この支持アーム１１に前後一対の平行リンク１２、バネ１３及び上下移動範囲規制部材１４を介して、花形ディスク１５及びサブソイラ形状の掘削刃１６が取り付けられている。この掘削刃１６の後部に、スラリー注入管１７及び覆土板１８が取り付けられ、覆土板１８は上下調節が可能である。本体フレーム６には、左右一対のゲージホイール１９が、上下調節支持装置２０により上下調節可能に支持され、スラリーインジェクタ２の作業深さを調節することができる。
【００１０】
本体フレーム６の左右方向の中央部から後方に向け連結フレーム２１が延び、この連結フレーム２１の後端部にヒッチ装置２２を介してスラリータンカ３の車体フレーム２３の先端部が左右回動可能に連結される。車体フレーム２３上にはスラリータンク２４が搭載されている。車体フレーム２３の前部に、図３及び図４に示すように容積型ポンプ２５が搭載され、変速装置２６を介して動力が伝達される。この変速装置２６には、ＰＴＯ伝動軸９を介して本体フレーム６に伝達された動力が動力伝達軸２７を介して入力される。なお、ポンプ２５をスラリータンク２４後方の車体フレーム２３に搭載するようにしてもよい。
【００１１】
一方、本体フレーム６上に分配機２８が搭載され、ここで分配したスラリーをパイプ２９を介してスラリー注入管１７に供給するようにしている。分配機２８は、トラクタ１から受ける油圧により作動して、ポンプ２５からホース３０を介して供給されるスラリーを攪拌すると共にスラリー中に含まれる固形物や敷きわら等を粉砕してパイプ２９に分配する機能を有している。スラリータンク２４に設けられた吸入部３１からは、スラリーを投入するほか種子等を投入してスラリーと共に圃場の浅層に注入することができる。また、ポンプ２５は、スラリータンク２４からスラリーを吸い上げてホース３０を介して分配機２８に送り、分配されたスラリーをパイプ２９を介してスラリー注入管１７に送って土中に注入すると同時に、ポンプ２５により吸い上げたスラリーの一部をスラリータンク２４内に戻し（ドレンし）ポンプ２５によるスラリーの循環路を構成してスラリータンク２４内のスラリーを攪拌し、種子等の沈殿を防止するようにしている。符号３２は、スラリーインジェクタ２の作業を安定させるためのウエイトである。なお、トラクタ１にスラリータンカ３を直装し、スラリーインジェクタ２をスラリータンカ３の後部に装着するようにしてもよい。
【００１２】
次に、上記構成のスラリーインジェクタ２の動作について説明する。
スラリーインジェクタ２は、トラクタ１に直装されてスラリータンカ３やバキュームタンカからポンプ２５により吸い上げたスラリーを、スラリー注入管１７を介して地表から１５ｃｍ付近までの浅層に注入し、覆土板１８により覆土して注入時は勿論のこと圃場端でも圃場表面にスラリーを露出させない。また、インジェクタ２を幅方向に複数条（この実施例では７条）設け、各インジェクタ２が上下方向に作動する平行リンク１２とバネ１３により独立懸架され、圃場の凹凸に対して独立して追従可能であり、花形ディスク１５や掘削刃１６が土中の障害物に接触すると、上方に移動して損傷を回避する。また、インジェクタ２は回動支持部材１０により左右回動可能であり、インジェクタ２を土中に挿入したまま旋回が可能である。
【００１３】
この実施例では、スラリーインジェクタ２はトラクタ１の後部に直装され、スラリータンカ３をインジェクタ２の後部に装着して牽引することを基本構成としているが、スラリータンカ３をトラクタ１の後部に直装し、インジェクタ２をスラリータンカ３の後部に装着して作業することもできる。スラリーインジェクタ２及びスラリータンカ３はトラクタ１により牽引され、タンカ３ヘの動力はインジェクタ２の上部を通って動力伝達軸２７を介してポンプ２５の変速装置２６ヘ供給される。本体フレーム６に取り付けられた分配機２８は、トラクタ１から供給される油圧により駆動し、スラリー内の夾雑物を細かく切断し、インジェクタ２のパイプ２９やスラリー注入管１７内での詰まりを防止すると共に、各条のインジェクタ２へ均一な量のスラリーを分配する。
【００１４】
インジェクタ２はゲージホイール１９により花形ディスク１５及び掘削刃１６の作用深さを調節し、スラリー注入管１７によるスラリーの注入深さを一定に保つと共に、花形ディスク１５は、例えば牧草等の根茎を切断し、掘削刃１６の牽引力を低減させる。スラリーは、掘削刃１６の後部に配置されたスラリー注入管１７を通じて、その下端まで導かれて圃場の浅層に施用される。スラリーの施用量を確保するために、掘削刃１６の先端にサブソイラと同様のウイングを取り付け、下層部の土を膨軟にし、施用後は覆土板１８により覆土を行い、花形ディスク１５及び掘削刃１６により切削した縦溝を閉鎖しスラリーの臭気の拡散を防止する。
【００１５】
圃場に石礫等の障害物がある場合や圃場面の凹凸に対応して、各インジェクタ２が平行リンク１２とバネ１３により、上下移動範囲規制部材１４の規制範囲で上下動しながら作業を行う。特に石礫がある圃場では、石礫のある条のインジェクタ２だけが平行リンク１２及びバネ１３によって上方に逃げ、その後下降することで圃場面へのスラリーの露出を低減する。また、花形ディスク１５、掘削刃１６、スラリー注入管１７、覆土板１８などは、回動支持部材１０により左右回動可能に取り付けられているので、圃場端においてインジェクタ２を持ち上げることなく旋回することができる。さらに、インジェクタ２の左右への振れは、石礫の回避にも役立つ。
【００１６】
そして、従来のように、スラリーがバキュームタンカ等による表面施用や、２０〜３０ｃｍの土中に深層施用されると、大気蒸散や地下浸透により、住環境へ悪臭問題や地下水汚染の問題を引き起こし、特に、悪臭問題は混住化が進んだ府県の酪農地帯では大きな問題となり、スラリーの圃場施用ができない場合も生じているのを、本発明においては解決できる。また、本発明のインジェクタ２は、バキュームタンカ等による表面施用と同程度の能率を有すると共に、土中の浅層にスラリーを施用することにより、悪臭の大気蒸散や肥料成分の地下浸透を抑制し、肥料成分を作物の根圏に施用することにより肥料成分の効率的な利用が促進される。特に、本発明の装置は、スラリーの地表面への露出をできる限り少なくすることにより、悪臭等の公害問題が顕在化している地域でも利用することができ、家畜糞尿（スラリー）の圃場還元が促進され、環境に優しい技術となる。
【００１７】
【発明の効果】
以上説明したように、本発明によるスラリーインジェクタは、請求項１の構成を有することにより、以下の効果を奏することができる。
【００１８】
イ．地表から１５ｃｍ付近までの浅層にスラリーを安定して注入することができる。
ロ．圃場の凹凸に対して、各条のスラリーインジェクタを独立して左右回動、上下移動可能に取り付け、圃場の凹凸に追従してスラリーの注入深さを確保し、かつスラリーの露出を防ぐことができる。
ハ．石礫等の障害物がある場合は、平行リンクとバネによる独立懸架ならびに回転支持部材によりインジェクタを上方ならびに左右に逃がし、石礫圃場でも、スラリーの施用が可能であり、かつスラリーの露出を低減することができる。
ニ．圃場端でのスラリーの滴下を防ぐために、インジェクタを注入したまま旋回可能なようにインジェクタを左右に独立して回動する構造としたため、旋回しながらのスラリー施用も可能であり、能率よい作業を行うことができる。
【図面の簡単な説明】
【図１】本発明によるスラリーインジェクタの側面図である。
【図２】同スラリーインジェクタの平面図である。
【図３】スラリータンカの側面図である。
【図４】スラリータンカの側面図である。
【符号の説明】
１  トラクタ
２  スラリーインジェクタ
３  スラリータンカ
４  トップリンク
５  ロアリンク
６  インジェクタの本体フレーム    ６ａ  回動支持部
７  トップマスト
８  ロアリンク連結部
９  ＰＴＯ伝動軸
１０  回動支持部材
１１  支持アーム
１２  平行リンク
１３  バネ
１４  上下移動範囲規制部材
１５  花形ディスク
１６  掘削刃
１７  スラリー注入管
１８  覆土板
１９  ゲージホイール
２０  上下調節支持装置
２１  連結フレーム
２２  ヒッチ装置
２３  車体フレーム
２４  スラリータンク
２５  容積型ポンプ
２６  変速装置
２７  動力伝達軸
２８  分配機
２９  パイプ
３０  ホース
３１  吸入部
３２  ウエイト
【図１】
0003593560.tif 000002
【図２】
0003593560.tif 000003
【図３】
0003593560.tif 000004
【図４】
0003593560.tif 000005